(57)【要約】【課題】ターミナルカバーを押付部材によって押し付けて固定するターミナルカバーの固定構造において、押し付け力を損なうことなくターミナルカバーの着脱を容易にする。【解決手段】固定構造（10）は、ケーシング（2）に固定された２つの起立部（23,24）と、ターミナルカバー（5）に当接する当接部（31a）を有して変形可能な本体部（31）と該本体部（31）の両端に形成されて各起立部（23,24）に掛止される各フック部（32,33）とを有してターミナルカバー（5）をケーシング（2）側へ押し付けて固定するリテーナ（30）とを備えている。上記固定構造（10）を、リテーナ（30）がターミナルカバー（5）をケーシング（2）側へ押し付ける際に、２つのフック部（32,33）のそれぞれに作用する反力の大きさが異なるように構成する。【選択図】図３
2014141941.tif 000002
【特許請求の範囲】
【請求項１】
圧縮機（1）のケーシング（2）に設置されたターミナル（4）を覆うターミナルカバー（5）の幅方向の両側においてそれぞれ上記ケーシング（2）に固定された２つの留め具（23,24）と、
上記ターミナルカバー（5）に当接する当接部（31a）を有して変形可能な本体部（31）と、該本体部（31）の両端に形成されて上記留め具（23,24）に掛止される掛止部（32,33）とを有し、上記ターミナルカバー（5）を上記ケーシング（2）側へ押し付けて固定する押付部材（30）とを備え、
上記押付部材（30）が上記ターミナルカバー（5）を上記ケーシング（2）側へ押し付ける際に、上記２つの掛止部（32,33）のそれぞれに作用する反力の大きさが異なるように構成されている
ことを特徴とするターミナルカバーの固定構造。
【請求項２】
請求項１において、
上記押付部材（30）によって上記ターミナルカバー（5）に作用する押し付け力の作用点が、上記押付部材（30）の幅方向の中央からずれた位置に配置されるように構成されている
ことを特徴とするターミナルカバーの固定構造。
【請求項３】
請求項２において、
上記ターミナルカバー（5）は、上記２つの留め具（23,24）の間において、片側の留め具（24）寄りの位置に設けられている
ことを特徴とするターミナルカバーの固定構造。
【請求項４】
請求項２において、
上記押付部材（30）は、上記当接部（31a）が、上記本体部（31）において、上記２つの掛止部（32,33）のうちの片側の掛止部（33）寄りの位置に設けられるように構成されている
ことを特徴とするターミナルカバーの固定構造。
【請求項５】
請求項１において、
上記押付部材（30）は、幅方向に並ぶバネ定数の異なる２つの部分（30a,30b）によって構成されている
ことを特徴とするターミナルカバーの固定構造。
【請求項６】
請求項１乃至５のいずれか１つにおいて、
上記ターミナルカバー（5）は、配管（3）が貫通する上記ケーシング（2）の上面に固定され、
上記２つの掛止部（32,33）に作用する反力のうち、上記配管（3）からの距離の大きい掛止部（32）に作用する反力が、他の掛止部（33）に作用する反力よりも小さくなるように構成されている
ことを特徴とするターミナルカバーの固定構造。
【請求項７】
流体を圧縮する圧縮機であって、
請求項１乃至６のいずれか１つに記載のターミナルカバーの固定構造（10）を備えている
ことを特徴とする圧縮機。
【発明の詳細な説明】
【技術分野】
【０００１】
本発明は、圧縮機のターミナルカバーの固定構造及びそれを備えた圧縮機に関し、特にターミナルカバーの着脱の容易化対策に係るものである。
【背景技術】
【０００２】
従来から、圧縮機のケーシングに設けられたターミナルを保護するために、ターミナルカバーが設けられている（例えば、下記特許文献１を参照）。
【０００３】
特許文献１の圧縮機では、ケーシングに、ターミナルと、該ターミナルを囲むように設けられたターミナルプレートとが溶接によって固定されている。ターミナルカバーは、ばね機能を有するクリップによってターミナルプレートに押し付けられることによって固定されている。具体的には、クリップは、略Ｍ字形状に形成され、両端に爪部が形成されている。一方、ターミナルプレートには、ターミナルカバーの幅方向の両側において立設する２つの立設部を有し、該各立設部には上記爪部が引っ掛かる係合孔が形成されている。上記圧縮機では、クリップの２つの爪部が立設部の係合孔に引っ掛かることにより、略Ｍ字形状のクリップの中央部分がターミナルカバーに当接し、この中央部分がターミナルカバーをターミナルプレート側に押し付ける。これにより、ターミナルカバーがターミナルプレートに固定される。
【先行技術文献】
【特許文献】
【０００４】
【特許文献１】特開２００９−９７３６１号公報
【発明の概要】
【発明が解決しようとする課題】
【０００５】
ところで、上記圧縮機において、ターミナルカバーの着脱を容易にするためには、ターミナルカバーを押し付ける押付部材としてのクリップの弾性力が小さい方が望ましい。しかしながら、クリップの弾性力が小さすぎると押し付け力が小さくなるため、ターミナルカバーが外れ易くなってしまう。そのため、ターミナルを保護する観点からは、クリップの弾性力がある程度大きくなければならず、その結果、ターミナルカバーの着脱に要する力が大きくなり、着脱を容易に行うことができなかった。
【０００６】
本発明は、かかる点に鑑みてなされたものであり、その目的は、ターミナルカバーを押付部材によって押し付けて固定するターミナルカバーの固定構造において、押し付け力を損なうことなくターミナルカバーの着脱を容易にすることにある。
【課題を解決するための手段】
【０００７】
第１の発明は、圧縮機（1）のケーシング（2）に設置されたターミナル（4）を覆うターミナルカバー（5）の幅方向の両側においてそれぞれ上記ケーシング（2）に固定された２つの留め具（23,24）と、上記ターミナルカバー（5）に当接する当接部（31a）を有して変形可能な本体部（31）と、該本体部（31）の両端に形成されて上記留め具（23,24）に掛止される掛止部（32,33）とを有し、上記ターミナルカバー（5）を上記ケーシング（2）側へ押し付けて固定する押付部材（30）とを備え、上記押付部材（30）が上記ターミナルカバー（5）を上記ケーシング（2）側へ押し付ける際に、上記２つの掛止部（32,33）のそれぞれに作用する反力の大きさが異なるように構成されている。
【０００８】
第１の発明では、押付部材（30）の２つの掛止部（32,33）をケーシング（2）に固定された２つの留め具（23,24）に掛止させて本体部（31）の当接部（31a）によってターミナルカバー（5）をケーシング（2）側へ押し付けることにより、ターミナルカバー（5）が固定される。このとき、押付部材（30）の２つの掛止部（32,33）のそれぞれには、当接部（31a）に作用する押し付け力に対する反力が作用するが、その反力の大きさが異なる。そのため、２つの掛止部（32,33）に作用する反力の大きさが等しい場合に比べて、一方の掛止部（32）に作用する反力は大きくなるものの、他方の掛止部（33）に作用する反力は小さくなる。
【０００９】
第２の発明は、第１の発明において、上記押付部材（30）によって上記ターミナルカバー（5）に作用する押し付け力の作用点が、上記押付部材（30）の幅方向の中央からずれた位置に配置されるように構成されている。
【００１０】
第２の発明では、押付部材（30）によってターミナルカバー（5）に作用する押し付け力の作用点が、押付部材（30）の幅方向の中央からずれた位置に配置されるように構成されている。これにより、押し付け力の作用点から２つの掛止部（32,33）までの距離が異なることとなる。その結果、各掛止部（32,33）に作用する反力の大きさが異なる。
【００１１】
第３の発明は、第２の発明において、上記ターミナルカバー（5）は、上記２つの留め具（23,24）の間において、片側の留め具（24）寄りの位置に設けられている。
【００１２】
第３の発明では、ターミナルカバー（5）が、２つの留め具（23,24）の間において片側の留め具（24）寄りの位置に設けられている。これにより、当接部（31a）が押付部材（30）の幅方向の中央位置からずれた片側の留め具（24）寄りの位置に設けられるため、押付部材（30）による押し付け力の作用点が、押付部材（30）の幅方向の中央からずれた位置に配置される。
【００１３】
第４の発明は、第２の発明において、上記押付部材（30）は、上記当接部（31a）が、上記本体部（31）において、上記２つの掛止部（32,33）のうちの片側の掛止部（33）寄りの位置に設けられるように構成されている。
【００１４】
第４の発明では、押付部材（30）のターミナルカバー（5）に当接する当接部（31a）が、本体部（31）において２つの掛止部（32,33）のうちの片側の掛止部（33）寄りの位置に設けられている。これにより、当接部（31a）が、本体部（31）の幅方向の中央位置からずれた片側の掛止部（33）寄りの位置に設けられるため、押付部材（30）による押し付け力の作用点が、押付部材（30）の幅方向の中央からずれた位置に配置される。
【００１５】
第５の発明は、第１の発明において、上記押付部材（30）は、幅方向に並ぶバネ定数の異なる２つの部分（30a,30b）によって構成されている。
【００１６】
第５の発明では、押付部材（30）が、幅方向に並ぶバネ定数の異なる２つの部分（30a,30b）によって構成されている。そのため、押し付け力によって２つの掛止部（32,33）に作用する反力のうち、バネ定数が小さい方の部分（30a）の掛止部（32）に作用する反力が、バネ定数が大きい方の部分（30b）の掛止部（33）に作用する反力よりも小さくなる。
【００１７】
第６の発明は、第１乃至第５のいずれか１つの発明において、上記ターミナルカバー（5）は、配管（3）が貫通する上記ケーシング（2）の上面に固定され、上記２つの掛止部（32,33）に作用する反力のうち、上記配管（3）からの距離の大きい掛止部（32）に作用する反力が、他の掛止部（33）に作用する反力よりも小さくなるように構成されている。
【００１８】
第６の発明では、配管（3）が貫通するケーシング（2）の上面にターミナルカバー（5）が固定され、押付部材（30）の２つの掛止部（32,33）に作用する反力のうち、配管（3）からの距離が遠い方の掛止部（32）に作用する反力が、他の掛止部（33）に作用する反力よりも小さくなるように構成されている。これにより、配管（3）からの距離が遠い方の掛止部（32）の着脱が容易になる。
【００１９】
第７の発明は、流体を圧縮する圧縮機であって、上記第１乃至６のいずれか１つの発明に係るターミナルカバーの固定構造（10）を備えている。
【発明の効果】
【００２０】
第１の発明によれば、押付部材（30）によってターミナルカバー（5）をケーシング（2）側へ押し付けて固定するターミナルカバーの固定構造（10）において、押付部材（30）の各掛止部（32,33）を各留め具（23,24）に掛止させてターミナルカバー（5）を押付部材（30）によって押し付ける際に、２つの掛止部（32,33）のそれぞれに作用する反力の大きさが異なるように構成した。これにより、押付部材（30）による押し付け力を低減することなく、２つの掛止部（32,33）のうちの一方の掛止部（32）に作用する反力を低く抑えることができる。従って、押付部材（30）のターミナルカバー（5）への押し付け力を損なうことなくターミナルカバー（5）の着脱を容易にすることができる。
【００２１】
また、第２の発明によれば、押付部材（30）によってターミナルカバー（5）に作用する押し付け力の作用点が、押付部材（30）の幅方向の中央からずれた位置に配置されるように構成することで、押し付け力の作用点から２つの掛止部（32,33）までの距離を異ならせることとした。これにより、押し付け力によって２つの掛止部（32,33）のそれぞれに作用する反力の大きさを異ならせることができる。つまり、容易な設計変更により、押し付け力を損なうことなくターミナルカバー（5）の着脱を容易にすることができる。
【００２２】
また、第３の発明によれば、ターミナルカバー（5）を２つの留め具（23,24）の間において片側の留め具（24）寄りの位置に設けることで、当接部（31a）を本体部（31）の幅方向の中央位置からずれた位置に設けて、押し付け力の作用点から２つの掛止部（32,33）までの距離を異ならせることとした。これにより、ターミナルカバー（5）の位置をずらすだけで、押し付け力によって２つの掛止部（32,33）のそれぞれに作用する反力の大きさが異なるように構成することができる。つまり、容易な設計変更により、押し付け力を損なうことなくターミナルカバー（5）の着脱を容易にすることができる。
【００２３】
また、第４の発明によれば、押付部材（30）のターミナルカバー（5）に当接する当接部（31a）を、本体部（31）において２つの掛止部（32,33）のうちの片側の掛止部（33）寄りの位置に形成することで、当接部（31a）を本体部（31）の幅方向の中央位置からずれた位置に設けて、押し付け力の作用点から２つの掛止部（32,33）までの距離を異ならせることとした。これにより、押付部材（30）の当接部（31a）が本体部（31）の幅方向の中央からずれた位置に設けられるように設計するだけで、押し付け力によって２つの掛止部（32,33）のそれぞれに作用する反力の大きさが異なるように構成することができる。つまり、容易な設計変更により、押し付け力を損なうことなくターミナルカバー（5）の着脱を容易にすることができる。
【００２４】
また、第５の発明によれば、押付部材（30）を幅方向に並ぶバネ定数の異なる２つの部分（30a,30b）によって構成するだけで、押し付け力によって２つの掛止部（32,33）のそれぞれに作用する反力の大きさが異なるように構成することができる。つまり、容易な設計変更により、押し付け力を損なうことなくターミナルカバー（5）の着脱を容易にすることができる。
【００２５】
また、第６の発明によれば、配管（3）が貫通するケーシング（2）の上面にターミナルカバー（5）が固定されていると、配管（3）が邪魔になって押付部材（30）の着脱作業が行い難くなるところ、配管（3）からの距離が遠い方の掛止部（32）に作用する反力が、他の掛止部（33）に作用する反力よりも小さくなるように構成することとした。これにより、配管（3）からの距離が遠い方の掛止部（32）の着脱が容易になるため、配管から離れた位置において押付部材（30）の着脱作業を行うことができる。従って、ターミナルカバー（5）の着脱を容易にすることができる。
【図面の簡単な説明】
【００２６】
【図１】図１は、実施形態１に係るターミナルカバーの固定構造の斜視図である。
【図２】図２は、実施形態１に係るターミナルカバーの固定構造の平面図である。
【図３】図３は、実施形態１に係るターミナルカバーの固定構造の縦断面図である。
【図４】図４（Ａ）及び（Ｂ）は、実施形態１に係るターミナルカバーの固定構造と従来の固定構造とにおいてリテーナに作用する力を比較する図面であり、図４（Ａ）は実施形態１の固定構造を示し、図４（Ｂ）は従来の固定構造を示している。
【図５】図５は、実施形態２に係るターミナルカバーの固定構造の縦断面図である。
【図６】図６は、実施形態３に係るターミナルカバーの固定構造の縦断面図である。
【発明を実施するための形態】
【００２７】
以下、本発明の実施形態を図面に基づいて詳細に説明する。
【００２８】
《発明の実施形態１》
図１は、本発明に係るターミナルカバーの固定構造（10）を示す斜視図であり、図２は、ターミナルカバーの固定構造（10）を示す平面図である。図１及び図２に示すように、本実施形態では、圧縮機（1）のケーシング（2）の上部に、外部電源と電動機とを接続するためのターミナル（4）が固定されている。そのため、ターミナルカバーの固定構造（10）は、圧縮機（1）のケーシング（2）の上部に設けられ、ターミナル（4）を保護するためのターミナルカバー（5）を固定している。なお、圧縮機（1）の上面には、吐出管（3）が貫通するように設けられている。
【００２９】
ターミナルカバー（5）は、上記ターミナルを覆うように平面視において円形状に形成された円形カバー部（5a）と、上記ターミナルに接続される電源ケーブル（図示省略）を覆う平面視において矩形状に形成された矩形カバー部（5b）とを有している。矩形カバー部（5b）には、上方に突出する２つの突出部（5c,5c）が形成されている。該２つの突出部（5c,5c）は、平面視において長方形状に形成され、互いの長辺が平行で且つ矩形カバー部（5b）の幅方向に対して傾斜するように構成されている。２つの突出部（5c,5c）は、後述するリテーナ（30）の幅より僅かに大きな間隔で配置されている。
【００３０】
固定構造（10）は、ターミナルカバー（5）に一体化されたプレート部（20）と、ケーシング（2）の上面に固定された保持部材（21）と、該保持部材（21）に掛止されることによってターミナルカバー（5）をケーシング（2）に押し付けて固定するリテーナ（30）とを備えている。
【００３１】
プレート部（20）は、ターミナルカバー（5）の両側面（図２の左右の側面）の下端部から外側へ該側面に略垂直な方向に延びるように形成されている。プレート部（20）の下面には、ターミナルカバー（5）の幅方向（図２の左右方向）に延びる帯状の溝が形成されている。この帯状の溝は、後述する保持部材（21）の本体部（22）が嵌り込むような形状に形成されている。なお、ターミナルカバー（5）の矩形カバー部（5b）のプレート部（20）の帯状の溝に対応する部分には、溝の断面と同形状の切り欠きが形成され、保持部材（21）の本体部（22）が嵌り込むように構成されている。このような構成により、プレート部（20）及びターミナルカバー（5）の矩形カバー部（5b）は、下面の溝及び切り欠きに保持部材（21）の本体部（22）が嵌り込んだ状態で、ケーシング（2）の上面に隙間無く当接する。
【００３２】
保持部材（21）は、Ｕ字形状に形成された金属の板状部材によって構成され、ケーシング（2）の上面に固定されている。具体的には、保持部材（21）は、矩形カバー部（5b）の幅方向に延びる帯状の板状部材からなる本体部（22）と、該本体部（22）の両端部に連続し、各端部から上方へ湾曲して延びる第１及び第２起立部（23,24）とを有している。保持部材（21）は、本体部（22）をプレート部（20）及び矩形カバー部（5b）の溝及び切り欠きに嵌め込むことにより、第１及び第２起立部（23,24）が、ターミナルカバー（5）の矩形カバー部（5b）の幅方向の一方側と他方側とに位置するように設けられる。
【００３３】
第１起立部（23）は、保持部材（21）の本体部（22）の幅方向の端部であって吐出管（3）からの距離が遠い側の端部に形成され、第２起立部（24）は、保持部材（21）の本体部（22）の幅方向の端部であって吐出管（3）からの距離が近い側の端部に形成されている。各起立部（23,24）には、それぞれの上部に、後述するリテーナ（30）のフック部（32,33）の爪部（32b,33b）が引っ掛かる矩形の係合孔（23a,24a）が形成されている。第１及び第２起立部（23,24）は、圧縮機（1）のケーシング（2）に固定された本発明に係る２つの留め具を構成する。
【００３４】
リテーナ（30）は、金属の板状部材を折り曲げることによって形成されている。リテーナ（30）は、本体部（31）と、該本体部（31）の両端に形成されて第１及び第２起立部（23,24）の各係合孔（23a,24a）に掛止される第１及び第２フック部（32,33）とを備えている。
【００３５】
本体部（31）は、平坦部（34）と、Ｖ字に折り曲げられた第１及び第２折り曲げ部（35,36）とを有し、略Ｍ字形状に形成されて変形可能に構成されている。平坦部（34）は、本体部（31）の幅方向の中央に形成され、ターミナルカバー（5）の矩形カバー部（5b）の上面に面するように形成されている。第１及び第２折り曲げ部（35,36）は、平坦部（34）の幅方向の両側にそれぞれ形成されている。
【００３６】
一方、第１及び第２フック部（32,33）は、支持板部（32a,33a）と、爪部（32b,33b）とをそれぞれ有し、略Ｌ字形状に形成されている。各支持板部（32a,33a）は、本体部（31）の両端から、各折り曲げ部（35,36）の突出方向とは逆向きで且つ平坦部（34）に略垂直な方向に延びている。一方、各爪部（32b,33b）は、各支持板部（32a,33a）の外端から略垂直に折り曲げられて内側向きに延びている。
【００３７】
第１フック部（32）は、爪部（32b）が保持部材（21）の第１起立部（23）の係合孔（23a）に挿入されて引っ掛かるように構成されている。また、第２フック部（33）は、爪部（33b）が保持部材（21）の第２起立部（24）の係合孔（24a）に挿入されて引っ掛かるように構成されている。つまり、第１及び第２フック部（32,33）は、圧縮機（1）のケーシング（2）に固定された２つの留め具のそれぞれに掛止される掛止部を構成する。
【００３８】
詳細については後述するが、リテーナ（30）は、このような構成により、各フック部（32,33）を保持部材（21）の第１及び第２起立部（23,24）に掛止させる際に変形して生じる弾性力によってターミナルカバー（5）をケーシング（2）側へ押し付けて固定する。
【００３９】
本実施形態では、ターミナルカバー（5）は、リテーナ（30）の平坦部（34）が当接する矩形カバー部（5b）が保持部材（21）の第１及び第２起立部（23,24）の間において、第２起立部（24）寄りの位置に配置されるように設けられている。これにより、リテーナ（30）のターミナルカバー（5）に当接する当接部（31a）が、リテーナ（30）の幅方向の中央位置からずれた第２起立部（24）寄りの位置に設けられる。
【００４０】
−作用−
図３に示すように、リテーナ（30）を、ターミナルカバー（5）の矩形カバー部（5b）の上面の２つの突出部（5c,5c）の間に載置し、２つの爪部（32b,33b）を保持部材（21）の２つの係合孔（23a,24a）に引っ掛けると、リテーナ（30）の平坦部（34）がターミナルカバー（5）の矩形カバー部（5b）の上面に当接する。
【００４１】
このとき、リテーナ（30）の平坦部（34）は、ターミナルカバー（5）によってケーシング（2）と反対側、即ち上方に押し上げられて各折り曲げ部（35,36）の両端部の折り曲げ角度が拡大するように弾性変形する。具体的には、リテーナ（30）は、各折り曲げ部（35,36）と平坦部（34）との折り曲げ角度Ｘと、各折り曲げ部（35,36）と各フック部（32,33）との折り曲げ角度Ｙとがそれぞれ拡大するように弾性変形する。このようなリテーナ（30）の弾性変形により、リテーナ（30）には元の形状に戻ろうとして弾性力Ｗが生じ、この弾性力Ｗによってターミナルカバー（5）がケーシング（2）側、即ち下方へ押し付けられる。これにより、ターミナルカバー（5）が固定される。
【００４２】
ところで、図４（Ａ）に示すように、リテーナ（30）の弾性力Ｗによってターミナルカバー（5）を押し付けたときに、リテーナ（30）の第１及び第２フック部（32,33）のそれぞれには反力Ｆ１，Ｆ２が生じる。
【００４３】
ここで、上述のように、ターミナルカバー（5）は、矩形カバー部（5b）が第１及び第２起立部（23,24）の間において、第２起立部（24）寄りの位置に配置されるように設けられている。そのため、リテーナ（30）のターミナルカバー（5）に当接する当接部（31a）が、リテーナ（30）の幅方向の中央位置からずれた第２起立部（24）寄りの位置に設けられる。これにより、リテーナ（30）によってターミナルカバー（5）に作用する弾性力による押し付け力の作用点（当接部（31a）の中央）が、上記リテーナ（30）の幅方向の中央から第２起立部（24）側、即ち第２フック部（33）側へずれ、押し付け力の作用点から２つの掛止部である第１及び第２フック部（32,33）までの距離が異なることとなる。具体的には、押し付け力の作用点から第１フック部（32）までの距離Ｌ１が、押し付け力の作用点から第２フック部（33）までの距離Ｌ２に比べて長くなる。その結果、第１フック部（32）に作用する反力Ｆ１は、第２フック部（33）に作用する反力Ｆ２よりも小さくなる。
【００４４】
そこで、リテーナ（30）を保持部材（21）に取り付ける際には、まず、第２フック部（33）と第２起立部（24）とを係合させた後に、第１フック部（32）と第１起立部（23）とを係合させる。つまり、リテーナ（30）を保持部材（21）に取り付ける際には、２段階の係合作業のうち、後の係合作業を行う際に、弾性力による押し付け力が生じてフック部（32,33）に反力が作用するため、この反力に抗して行わなければならない。そのため、後の係合作業を反力の小さい第１フック部（32）と第１起立部（23）との係合作業とすることで、小さい力でリテーナ（30）を保持部材（21）に取り付けることができる。
【００４５】
一方、リテーナ（30）を保持部材（21）から取り外す際には、まず、第１フック部（32）と第１起立部（23）との係合状態を解除した後に、第２フック部（33）と第２起立部（24）との係合状態を解除する。つまり、リテーナ（30）を保持部材（21）から取り外す際には、２段階の係合解除作業のうち、初めの係合解除作業を行う際に、弾性力による押し付け力が生じてフック部（32,33）に反力が作用するため、この反力に抗して行わなければならない。そのため、初めの係合作業を反力の小さい第１フック部（32）と第１起立部（23）との係合解除作業とすることで、小さい力でリテーナ（30）を保持部材（21）から取り外すことができる。
【００４６】
−実施形態１の効果−
上記実施形態１によれば、押付部材であるリテーナ（30）によってターミナルカバー（5）をケーシング（2）側へ押し付けて固定するターミナルカバーの固定構造（10）において、リテーナ（30）の２つのフック部（32,33）を２つの起立部（23,24）に掛止させてターミナルカバー（5）をリテーナ（30）によって押し付ける際に、２つのフック部（32,33）のそれぞれに作用する反力Ｆ１，Ｆ２の大きさが異なるように構成した。これにより、リテーナ（30）による押し付け力を低減することなく、２つのフック部（32,33）のうちの一方のフック部（32）に作用する反力Ｆ１を低く抑えることができる。従って、リテーナ（30）のターミナルカバー（5）への押し付け力を損なうことなくターミナルカバー（5）の着脱を容易にすることができる。
【００４７】
また、上記実施形態１によれば、リテーナ（30）によってターミナルカバー（5）に作用する押し付け力の作用点が、リテーナ（30）の幅方向の中央からずれるように構成することで、押し付け力の作用点から２つのフック部（32,33）までの距離を異ならせることとした。これにより、押し付け力によって２つのフック部（32,33）のそれぞれに作用する反力Ｆ１，Ｆ２の大きさを異ならせることができる。つまり、容易な設計変更により、押し付け力を損なうことなくターミナルカバー（5）の着脱を容易にすることができる。
【００４８】
上記実施形態１によれば、ターミナルカバー（5）を２つの起立部（23,24）の間において片側の起立部（24）寄りの位置に設けることで、押し付け力の作用点から２つのフック部（32,33）までの距離を異ならせることとした。これにより、ターミナルカバー（5）の位置をずらすだけで、押し付け力によって２つのフック部（32,33）のそれぞれに作用する反力Ｆ１，Ｆ２の大きさが異なるように構成することができる。つまり、容易な設計変更により、押し付け力を損なうことなくターミナルカバー（5）の着脱を容易にすることができる。
【００４９】
また、上記実施形態１によれば、吐出管（3）が貫通するケーシング（2）の上面にターミナルカバー（5）が固定されていると、吐出管（3）が邪魔になってリテーナ（30）の着脱作業が行い難くなるところ、吐出管（3）からの距離が遠い方のフック部（32）に作用する反力Ｆ１が、他のフック部（33）に作用する反力Ｆ２よりも小さくなるように構成することとした。これにより、吐出管（3）からの距離が遠い方のフック部（32）の着脱が容易になるため、吐出管（3）から離れた位置においてリテーナ（30）の着脱作業を行うことができる。従って、ターミナルカバー（5）の着脱を容易にすることができる。
【００５０】
《発明の実施形態２》
図５に示すように、実施形態２は、実施形態１の固定構造（10）において、ターミナルカバー（5）を、矩形カバー部（5b）が第１及び第２起立部（23,24）の間の中央に配置されるように設けると共に、リテーナ（30）の形状を変更することとしたものである。
【００５１】
実施形態２では、リテーナ（30）は、ターミナルカバー（5）に当接する当接部（31a）が、本体部（31）において２つのフック部（32,33）のうちの第２フック部（33）寄りの位置に設けられるように構成されている。具体的には、リテーナ（30）が、第１折り曲げ部（35）が第２折り曲げ部（36）よりも幅広な形状となるように構成されている。これにより、リテーナ（30）は、ターミナルカバー（5）に当接する当接部（31a）が、幅方向の中央からずれた第２フック部（33）寄りに位置するように構成される。
【００５２】
このような構成により、リテーナ（30）による押し付け力の作用点が、リテーナ（30）の幅方向の中央から第２フック部（33）側へずれる。これにより、実施形態２においても、押し付け力の作用点から第１及び第２フック部（32,33）までの距離が異なるため、第１及び第２フック部（32,33）に作用する反力Ｆ１，Ｆ２の大きさが異なることとなる。
【００５３】
従って、実施形態２によれば、リテーナ（30）のターミナルカバー（5）に当接する平坦部（34）の位置が幅方向の中央からずれた位置に配置されるようにリテーナ（30）を設計するだけで、押し付け力によって第１及び第２フック部（32,33）のそれぞれに作用する反力Ｆ１，Ｆ２の大きさが異なるように構成することができる。つまり、容易な設計変更により、押し付け力を損なうことなくターミナルカバー（5）の着脱を容易にすることができる。
【００５４】
《発明の実施形態３》
図６に示すように、実施形態３は、実施形態１の固定構造（10）において、ターミナルカバー（5）を、矩形カバー部（5b）が第１及び第２起立部（23,24）の間の中央に配置されるように設けると共に、リテーナ（30）を、幅方向に並ぶバネ定数の異なる２つの部分（30a,30b）によって構成することとしたものである。
【００５５】
実施形態３では、リテーナ（30）は、平坦部（34）の中央から第１フック部（32）までの第１部分（30a）と、平坦部（34）の中央から第２フック部（33）までの第２部分（30b）との板厚が異なるように構成されている。具体的には、リテーナ（30）は、第１部分（30a）の板厚を第２部分（30b）の板厚よりも薄くすることで、第１部分（30a）のバネ定数が第２部分（30b）のバネ定数よりも大きくなるように構成されている。
【００５６】
このような構成により、リテーナ（30）による押し付け力によって２つのフック部（32,33）に作用する反力のうち、バネ定数が小さい第１部分（30a）の第１フック部（32）に作用する反力Ｆ１が、バネ定数が大きい第２部分（30b）の第２フック部（33）に作用する反力Ｆ２よりも小さくなる。
【００５７】
従って、実施形態３によれば、リテーナ（30）を幅方向に並ぶバネ定数の異なる２つの部分（30a,30b）によって構成するだけで、押し付け力によって第１及び第２フック部（32,33）のそれぞれに作用する反力Ｆ１，Ｆ２の大きさが異なるように構成することができる。つまり、容易な設計変更により、押し付け力を損なうことなくターミナルカバー（5）の着脱を容易にすることができる。
【００５８】
なお、本実施形態３では、第１及び第２部分（30a,30b）の板厚を異ならせることによって第１及び第２部分（30a,30b）のバネ定数を異ならせていたが、バネ定数を異ならせる手法はこれに限られない。例えば、第１及び第２部分（30a,30b）の幅長さを異ならせてもよく、一方のみに熱処理を施してもよい。
【００５９】
《その他の実施形態》
上記各実施形態では、固定構造（10）を圧縮機（1）のケーシング（2）の上面に設けていたが、固定構造（10）の設置位置はこれに限られない。ケーシング（2）の側面に設けられていてもよい。
【００６０】
なお、以上の実施形態は、本質的に好ましい例示であって、本発明、その適用物、あるいはその用途の範囲を制限することを意図するものではない。
【産業上の利用可能性】
【００６１】
以上説明したように、本発明は、圧縮機のターミナルカバーの固定構造及びそれを備えた圧縮機について有用である。
【符号の説明】
【００６２】
１      圧縮機
２      ケーシング
３      吐出管（配管）
４      ターミナル
５      ターミナルカバー
１０      固定構造
２３      第１起立部（留め具）
２４      第２起立部（留め具）
３０      リテーナ（押付部材）
３０ａ    第１部分
３０ｂ    第２部分
３１      本体部
３１ａ    当接部
３２      第１フック部（掛止部）
３３      第２フック部（掛止部）
【図１】
2014141941.tif 000003
【図２】
2014141941.tif 000004
【図３】
2014141941.tif 000005
【図４】
2014141941.tif 000006
【図５】
2014141941.tif 000007
【図６】
2014141941.tif 000008